(57)【特許請求の範囲】
【請求項１】
入力される信号に対して所定の処理を行いＮチャネルの出力信号を出力する処理手段と、
前記処理手段が出力するＮチャネルの出力信号が各々供給されるメインゾーン用の複数の出力端子と、
前記処理手段が処理を行ったＮチャネルの出力信号をＭチャネル（Ｍ＜Ｎ）にダウンミックスするミキシング手段と、
前記ミキシング手段の出力信号とそれ以外の入力信号の中からいずれかを選択して出力する選択手段と、
前記選択手段の出力信号が供給されるサブゾーン用の出力端子と、
前記入力信号のうちのいずれを前記サブゾーン用の出力端子に供給するかを示す設定データを記憶する記憶手段と、
所定の第１の命令信号が供給されると前記選択手段に前記ミキシング手段の出力信号を選択させる一方、前記第１の命令信号が供給される前の状態に戻す命令である所定の第２の命令信号が供給されると、前記記憶手段に記憶された設定データを参照して前記入力信号の中からいずれかを前記選択手段に選択させる制御手段と
を具備することを特徴とするオーディオ信号出力装置。
【請求項２】
入力される信号に対して所定の処理を行いＮチャネルの出力信号を出力する処理手段と、
前記処理手段が出力する出力信号を増幅するメインゾーン用アンプと、
前記処理手段が出力するＮチャネルの出力信号をＭチャネル（Ｍ＜Ｎ）にダウンミックスするミキシング手段と、
前記ミキシング手段の出力信号とそれ以外の入力信号の中からいずれかを選択して出力する選択手段と、
前記選択手段の出力信号を増幅するサブゾーン用アンプと、
前記入力信号のうちのいずれを前記サブゾーン用アンプに供給するかを示す設定データを記憶する記憶手段と、
所定の第１の命令信号が供給されると前記選択手段に前記ミキシング手段の出力信号を選択させる一方、前記第１の命令信号が供給される前の状態に戻す命令である所定の第２の命令信号が供給されると、前記記憶手段に記憶された設定データを参照して前記入力信号の中からいずれかを前記選択手段に選択させる制御手段と
を具備することを特徴とするオーディオ信号出力装置。
【請求項３】
前記選択手段は複数設けられ、前記制御手段によって共通に制御されることを特徴とする請求項１または２記載のオーディオ信号出力装置。
【請求項４】
複数のソースから出力される信号の中から一つを選択して、前記処理手段の入力信号とするソース選択手段を具備することを特徴とする請求項１乃至３いずれかに記載のオーディオ信号出力装置。
【請求項５】
複数のソースから出力される信号の中から一つを選択して、前記ミキシング手段の入力信号とする第２のソース選択手段を具備することを特徴とする請求項１乃至４いずれかに記載のオーディオ信号出力装置。
【請求項６】
前記処理手段が行う所定の処理は、入力信号に音場特性を付与する音場処理および入力信号に所定のデコードを行うデコード処理の少なくともいずれか一方を含むことを特徴とする請求項１乃至５いずれかに記載のオーディオ信号出力装置。
【請求項７】
前記ミキシング手段の出力信号に音場特性を付与する音場処理を行う後処理手段
を具備し、
前記選択手段は、前記後処理手段の出力信号とそれ以外の入力信号の中からいずれかを選択して出力する
ことを特徴とする請求項１乃至６のいずれかに記載のオーディオ信号出力装置。
【請求項８】
前記選択手段を複数具備し、
操作手段から供給される信号に応じて、各選択手段が出力すべき出力信号があるか否かを前記選択手段毎に判定する判定手段と、
前記判定手段の判定結果に応じて、前記各選択手段に対応するサブゾーンへの出力のオンオフ制御を行うサブゾーン出力オンオフ制御手段と
を具備することを特徴とする請求項１または２に記載のオーディオ信号出力装置。
【請求項９】
複数の前記選択手段のそれぞれについて、予め定められたモードを選択するか否かを前記選択手段毎に判定するモード判定手段
を具備し、
前記制御手段は、前記モード判定手段によって前記予め定められたモードを選択すると判定された選択手段に前記ミキシング手段の出力信号を選択させる一方、前記モード判定手段によって前記予め定められたモードを選択しないと判定された選択手段に前記それ以外の入力信号を選択させる
ことを特徴とする請求項３に記載のオーディオ信号出力装置。
【請求項１０】
前記設定データは、複数の前記サブゾーンの各々について、各サブゾーンに割り当てる出力端子を示す情報を含み、
利用者によって操作される操作手段から供給される信号に応じた設定データを前記記憶手段に記憶させる設定手段
を具備することを特徴とする請求項１に記載のオーディオ信号出力装置。
【請求項１１】
前記設定データは、複数の前記サブゾーンの各々について、各サブゾーンに割り当てるサブゾーン用アンプを示す情報を含み、
利用者によって操作される操作手段から供給される信号に応じた設定データを前記記憶手段に記憶させる設定手段
を具備することを特徴とする請求項２に記載のオーディオ信号出力装置。
【発明の詳細な説明】
【技術分野】
【０００１】
本発明は、オーディオ信号を出力する技術に関する。
【背景技術】
【０００２】
ＡＶアンプやＡＶレシーバなどのＡＶ装置は、ＤＶＤ(Digital Versatile Disk)プレーヤ、ＣＤ(Compact Disk)プレーヤなどの各種の再生機器や録音再生装置を接続して、ＤＶＤ−Ｖｉｄｅｏ、ＣＤ、ＤＶＤ−Ａｕｄｉｏ、ＳＡＣＤ(Super Audio CD)、Ｖｉｄｅｏ−ＣＤなど多数のメディアを再生することができる。このようなＡＶ装置において、特許文献１では、ユーザが予め設定した機能やパラメータを１回のキー操作で呼び出すようにした機器制御方法が提案されている。この方法によれば、リモコン送信機で操作した入力切換、サラウンドモード切換、グラフィックイコライザの周波数特性の調整、電子ボリウムの音量調整などの各設定内容を記憶し、所定のキー操作により該記憶内容を読み出して各パラメータを読み出された内容に設定することができる。
【０００３】
また、近年では、５．１ｃｈや１１．２ｃｈ等の複数チャネルによるサラウンド機能を備えたＡＶ装置において、複数ゾーン（部屋）に個別のソースを出力する装置が提案されている。このような装置によれば、例えば、シアタールームだけで使うなら９．１ｃｈサラウンドを用い、リビングルームと書斎など２箇所の場合なら５．１ｃｈ＋２ｃｈ＋２ｃｈといった構成で用いることができる。
【特許文献１】特開２００２−１４２２７８号公報
【発明の開示】
【発明が解決しようとする課題】
【０００４】
ところで、上述のような複数チャネルによるサラウンド機能を備えたＡＶ装置を複数ゾーンで用いる場合において、スピーカを設置した複数のゾーンで同じソースを出力したい場合がある。このような場合、従来の装置においては、ゾーン毎に入力ソースの選択や設定を行う必要があり、その作業は煩雑であった。
本発明は上述した事情に鑑みてなされたものであり、複数チャネルによるサラウンド機能を備えた装置において、簡単な操作で、複数のゾーンに同じソースを出力することのできる技術を提供することを目的とする。
【課題を解決するための手段】
【０００５】
上記課題を解決するために、本発明の好適な態様であるオーディオ信号出力装置は、入力される信号に対して所定の処理を行いＮチャネルの出力信号を出力する処理手段と、前記処理手段が出力するＮチャネルの出力信号が各々供給されるメインゾーン用の複数の出力端子と、前記処理手段が処理を行ったＮチャネルの出力信号をＭチャネル（Ｍ＜Ｎ）にダウンミックスするミキシング手段と、前記ミキシング手段の出力信号とそれ以外の入力信号の中からいずれかを選択して出力する選択手段と、前記選択手段の出力信号が供給されるサブゾーン用の出力端子と、前記入力信号のうちのいずれを前記サブゾーン用の出力端子に供給するかを示す設定データを記憶する記憶手段と、所定の第１の命令信号が供給されると前記選択手段に前記ミキシング手段の出力信号を選択させる一方、前記第１の命令信号が供給される前の状態に戻す命令である所定の第２の命令信号が供給されると、前記記憶手段に記憶された設定データを参照して前記入力信号の中からいずれかを前記選択手段に選択させる制御手段とを具備することを特徴とする。
【０００６】
また、本発明の他の好適な態様であるオーディオ信号出力装置は、入力される信号に対して所定の処理を行いＮチャネルの出力信号を出力する処理手段と、前記処理手段が出力する出力信号を増幅するメインゾーン用アンプと、前記処理手段が出力するＮチャネルの出力信号をＭチャネル（Ｍ＜Ｎ）にダウンミックスするミキシング手段と、前記ミキシング手段の出力信号とそれ以外の入力信号の中からいずれかを選択して出力する選択手段と、前記選択手段の出力信号を増幅するサブゾーン用アンプと、前記入力信号のうちのいずれを前記サブゾーン用アンプに供給するかを示す設定データを記憶する記憶手段と、所定の第１の命令信号が供給されると前記選択手段に前記ミキシング手段の出力信号を選択させる一方、前記第１の命令信号が供給される前の状態に戻す命令である所定の第２の命令信号が供給されると、前記記憶手段に記憶された設定データを参照して前記入力信号の中からいずれかを前記選択手段に選択させる制御手段とを具備することを特徴とする。
【０００７】
また、上述の態様において、前記選択手段は複数設けられ、前記制御手段によって共通に制御されるようにしてもよい。
また、上述の態様において、複数のソースから出力される信号の中から一つを選択して、前記処理手段の入力信号とするソース選択手段を具備してもよい。
また、上述の態様において、複数のソースから出力される信号の中から一つを選択して、前記ミキシング手段の入力信号とする第２のソース選択手段を具備してもよい。
また、上述の態様において、前記処理手段が行う所定の処理は、入力信号に音場特性を付与する音場処理および入力信号に所定のデコードを行うデコード処理の少なくともいずれか一方を含んでもよい。
【０００８】
また、上述の態様において、前記ミキシング手段の出力信号に音場特性を付与する音場処理を行う後処理手段を具備し、前記選択手段は、前記後処理手段の出力信号とそれ以外の入力信号の中からいずれかを選択して出力してもよい。
また、上述の態様において、前記選択手段を複数具備し、操作手段から供給される信号に応じて、各選択手段が出力すべき出力信号があるか否かを前記選択手段毎に判定する判定手段と、前記判定手段の判定結果に応じて、前記各選択手段に対応するサブゾーンへの出力のオンオフ制御を行うサブゾーン出力オンオフ制御手段とを具備してもよい。
【０００９】
また、上述の態様において、複数の前記選択手段のそれぞれについて、予め定められたモードを選択するか否かを前記選択手段毎に判定するモード判定手段を具備し、前記制御手段は、前記モード判定手段によって前記予め定められたモードを選択すると判定された選択手段に前記ミキシング手段の出力信号を選択させる一方、前記モード判定手段によって前記予め定められたモードを選択しないと判定された選択手段に前記それ以外の入力信号を選択させてもよい。
また、上述の態様において、前記設定データは、複数の前記サブゾーンの各々について、各サブゾーンに割り当てる出力端子を示す情報を含み、利用者によって操作される操作手段から供給される信号に応じた設定データを前記記憶手段に記憶させる設定手段を具備してもよい。
また、上述の態様において、前記設定データは、複数の前記サブゾーンの各々について、各サブゾーンに割り当てるサブゾーン用アンプを示す情報を含み、利用者によって操作される操作手段から供給される信号に応じた設定データを前記記憶手段に記憶させる設定手段を具備してもよい。
【発明の効果】
【００１０】
本発明によれば、複数チャネルによるサラウンド機能を備えた装置において、簡単な操作で複数のゾーンに同じソースを出力することができる。
【発明を実施するための最良の形態】
【００１１】
以下、図面を参照して、この発明の実施形態について説明する。
＜Ａ：構成＞
本発明は、ＡＶアンプやホームシアター向け商品などの各種ＡＶ装置に適用することができるが、ここでは、ＡＶレシーバ（チューナ付きのＡＶアンプ）に適用した実施の形態について説明する。
図１は、本発明の一実施形態であるＡＶレシーバ１の全体構成を示すブロック図である。図において、制御部１１は、ＣＰＵ（Central Processing Unit）やＲＯＭ（Read Only Memory）、ＲＡＭ（Random Access Memory）を備え、ＲＯＭ又は記憶部１２に記憶されているコンピュータプログラムを読み出して実行することによりＡＶレシーバ１の各部を制御する。記憶部１２は、制御部１１によって実行されるコンピュータプログラムやその実行時に使用されるデータを記憶するための記憶手段であり、例えばＥＥＰＲＯＭ（Electronically Erasable and Programmable ROM）である。表示部１３は、ＬＥＤパネルや液晶パネルなどの表示パネルを備え、制御部１１による制御の下に各種の画像を表示する。操作部１４は、テンキー等の各種キーを備え、ＡＶレシーバ１の操作者による操作に応じた信号を制御部１１に出力する。なお、この実施形態では、表示部１３と操作部１４とがＡＶレシーバ１に含まれている場合について説明するが、表示部１３や操作部１４がＡＶレシーバ１に外付けされる形式であってもよい。
【００１２】
ＡＶレシーバ１は、出力端子７１，７２，…８１の１１個の出力端子と、メインゾーン用のプリアウト端子８２，８３，…，９２と、サブゾーン用のプリアウト端子９３，９４，９５とを備えている。出力端子７１，７２，…８１はそれぞれ、スピーカが接続されるようになっている。出力端子７１，７２，…８１に接続された各スピーカへオーディオ信号が出力されることにより、スピーカが設置されたゾーン（部屋）にオーディオ信号の表す楽音や音声が発生されるようになっている。
【００１３】
ここで、ＡＶレシーバ１の利用態様について、図２及び図３を参照しつつ説明する。図２及び図３は、ＡＶレシーバ１に接続されるスピーカの設置態様の一例を示す図である。図２において、メインゾーンＺ１は、ＡＶレシーバ１の利用者がＡＶレシーバ１を主に使用する部屋、例えばリビングルームである。このメインゾーンＺ１には、センタスピーカ３０１、フロントスピーカ（Ｌ）３０２、フロントスピーカ（Ｒ）３０３、サブウーファー（Ｌ）３０４、サブウーファー（Ｒ）３０５、サラウンドスピーカ（Ｌ）３０６、サラウンドスピーカ（Ｒ）３０７、サラウンドバックスピーカ（Ｌ）３０８、サラウンドバックスピーカ（Ｒ）３０９、プレセンススピーカ（Ｌ）３１０、プレセンススピーカ（Ｒ）３１１、リアプレセンススピーカ（Ｌ）３１２、リアプレセンススピーカ（Ｒ）３１３の１１個のスピーカおよび２つのサブウーファーの合計１３個のスピーカが設置されている。
【００１４】
ＡＶレシーバ１は、オーディオ信号のチャネル毎に、そのチャネルに対応する出力端子へそのチャネルのオーディオ信号を出力する。メインゾーンに設置された各スピーカは、供給されるオーディオ信号に応じた音を各チャネル毎に放音し、これにより、メインゾーンＺ１において、１１．２ｃｈのサラウンドが実現される。
【００１５】
次に、図３に示す例において、メインゾーンＺ１には、センタスピーカ３０１、フロントスピーカ（Ｌ）３０２、フロントスピーカ（Ｒ）３０３、サラウンドスピーカ（Ｌ）３０６、サラウンドスピーカ（Ｒ）３０７の５個のスピーカおよび２個のサブウーファー３２０，３２１が設置されている。また、メインゾーンＺ１以外に、ゾーンＺ２、ゾーンＺ３、ゾーンＺ４の３つのゾーン（部屋）が設けられている。ゾーンＺ２には、スピーカ３２２とスピーカ３２３との２つのスピーカが設置されている。ゾーンＺ３には、スピーカ３２４とスピーカ３２５との２つのスピーカが設置されており、ゾーンＺ４には、スピーカ３２６とスピーカ３２７との２つのスピーカが設置されている。各ゾーンＺ２，Ｚ３，Ｚ４に設置されたスピーカは、ＡＶレシーバ１の出力端子に接続され、ＡＶレシーバ１の利用者は、メインゾーンＺ１以外のゾーンＺ２、ゾーンＺ３、ゾーンＺ４のそれぞれでＡＶレシーバ１を用いて楽音や音声を楽しむことができるようになっている。
【００１６】
図１の説明に戻る。記憶部１２は、図示のように、ゾーン設定データ記憶領域１２１を有している。ゾーン設定データ記憶領域１２１には、各ゾーンの設定内容を示すゾーン設定データがゾーン毎に記憶される。
図４は、ゾーン設定データの内容の一例を示す図である。図示のように、ゾーン設定データは、「ゾーンＩＤ」と「ゾーン名称」と「入力ソース」と「音量」と「トーンコントロール設定」と「音響設定」と「出力端子」と「ゾーンＯＮ／ＯＦＦ状態」との各項目が互いに関連付けて記憶されている。これらの項目のうち、「ゾーンＩＤ」の項目には、ゾーンを識別する識別情報が記憶される。「ゾーン名称」の項目には、「リビング」や「キッチン」といった、ゾーンの名称を示すデータが記憶される。「入力ソース」の項目には、「ＤＶＤ」や「ＣＤ」といった、電源オン時に選択される入力ソースの種別を示すデータが記憶される。「音量」の項目には、電源オン時に設定される音量を示すデータが記憶される。「トーンコントロール」の項目には、画像のトーンスケールを調整するための調整値を示すデータが記憶される。「音響設定」の項目には、音場付加処理、エフェクト処理等の各種の音響処理の設定内容を示すデータが記憶される。「出力端子」の項目には、各ゾーンに割り当てる出力端子を示す識別情報が記憶される。「ゾーンＯＮ／ＯＦＦ状態」の項目には、各ゾーンのＯＮ（出力あり）／ＯＦＦ（出力なし）状態を示すデータが記憶される。このゾーン設定データは、ＡＶレシーバ１の利用者が、操作部１４を用いて変更できるようになっている。操作部１４は、操作された内容に応じた操作信号を制御部１１へ出力する。制御部１１は、操作部１４から供給される信号に基づいて、ゾーン設定データをゾーン設定データ記憶領域１２１に記憶する。なお、この実施形態では、メインゾーンＺ１，ゾーンＺ２，ゾーンＺ３，ゾーンＺ４の４つのゾーンを用いる場合（図３に示す利用態様の場合）について説明するが、ゾーンの数はこれに限定されるものではなく、これより多くても少なくてもよい。
【００１７】
図１の説明に戻る。ＡＶレシーバ１は、デジタル入力端子２１，２２，２３と、アナログ入力端子２４，２５，…，３５とを有している。デジタル入力端子２１は、デジタルオーディオ信号が入力される光デジタル音声端子であり、デジタル入力端子２２は、デジタルオーディオ信号が入力される同軸デジタル音声端子である。また、デジタル入力端子２３は、ＨＤＭＩ（High-Definition Multimedia Interface）入力端子である。デジタル入力端子２３に入力されたデジタルオーディオ信号は、ＨＤＭＩリピータ４４を経由してスイッチ回路４３又はメインゾーンセレクタ４５へ供給される。メインゾーンセレクタ４５は、複数のデジタル入力端子２１，２２，２３に入力される信号の中から一つを選択して、メインゾーンへの信号（ＤＳＰ（Digital Signal Processor）４７への入力信号）とする選択手段である。入力端子３８は、インターネット等の通信ネットワークを介してオーディオ信号を受信する及びＵＳＢオーディオの入力端子である。ネットワークＩ／Ｆ４１は、入力端子３８に入力されるオーディオ信号をネットワーク用ＤＡＣ（Ditigal to Analog  Converter）４２又はスイッチ回路４３に供給する。ネットワーク用ＤＡＣ４２は、ネットワークＩ／Ｆ４１から供給されるデジタルオーディオ信号をアナログオーディオ信号に変換するコンバータである。
【００１８】
アナログ入力端子２４は収音するマイクロホンから供給されるアナログオーディオ信号が入力される入力端子であり、アナログ入力端子２５〜３５はそれぞれ、ＣＤ、ＣＤ−Ｒ、ＤＶＤ、ＭＤ／ＴＡＰＥなどのアナログオーディオ信号が入力される入力端子である。チューナ３６は、ＦＭ放送やＡＭ放送などの電波を受信する受信器であり、チューナ３７は、ＨＤ−ＲＡＤＩＯの電波を受信する受信器である。インプットセレクタ５４は、電源オン時には記憶部１２に記憶されたゾーン設定データに基づき、それ以後は操作部１４の操作に基づいて、アナログ入力端子２４〜３５、チューナ３６，３７から供給されるオーディオ信号のうちのいずれかを選択し、選択したアナログオーディオ信号をメインゾーン用ＡＤＣ５７又はスイッチ回路５０へ供給する。メインゾーン用ＡＤＣは、インプットセレクタ５４から供給されるアナログオーディオ信号をデジタルオーディオ信号に変換し、ＤＩＲ（Digital Interface Receiver）４６へ供給する。
【００１９】
ＤＩＲ４６は、メインゾーンセレクタ４５から供給されるオーディオ信号をスイッチ回路４３へ供給するとともに、メインゾーン用ＡＤＣ５７から供給されるデジタルオーディオ信号をスイッチ回路４３へ供給する。スイッチ回路４３には、ＤＩＲ４６、ＨＤＭＩリピータ４４、ネットワークＩ／Ｆ４１からのデジタルオーディオ信号が供給される。スイッチ回路４３は、供給されるデジタルオーディオ信号のいずれをメインゾーンに割り当てるかを、記憶部１２に記憶されたゾーン設定データを参照して特定し、特定したオーディオ信号を、ＤＳＰ４７へ供給する。
【００２０】
ＤＳＰ４７は、音場付加処理、各種デコード処理、およびスピーカ調整及び環境補正等の各種信号処理を行うデジタル音声信号処理部である。ＤＳＰ４７は、入力信号に音場特性を付与する音場処理及び入力信号に所定のデコードを行うデコード処理を施す。ＤＳＰ４７は、予め劇場やホールで実測した音場データに基づいた音場処理を行うとともに、ドルビーデジタルやＡＡＣ等のデコード処理を行う。なお、この実施形態では、ＤＳＰ４７は音場処理とデコード処理とを行う構成としたが、いずれか一方の処理を行うようにしてもよい。また、ＤＳＰ４７は、これらの処理に限らず、例えば各種の音響効果を付与する処理を行うようにしてもよい。
【００２１】
ＤＳＰ４７は、信号処理を施したＮチャネル（Ｎは２以上の自然数）のデジタルオーディオ信号をメインゾーン用ＤＡＣ４８に供給する。なお、チャネル数Ｎは、操作部１４を操作することによって適宜設定されるが、この動作例の場合は６に設定されている（５．１チャネル対応）。このＤＳＰ４７は、Ｎチャネルのデジタルオーディオ信号をＭチャネル（Ｍ＜Ｎ；Ｍは自然数）にダウンミックスするミキシング機能を備えている。この場合のＭの値は操作部１４を操作することによって適宜設定されるが、この動作例はＭは２に設定されている（２ｃｈステレオに対応）。ミキシング機能によってダウンミックスされたデジタルオーディオ信号はサブゾーン用ＤＡＣ４９によってアナログ信号に変換されて、スイッチ回路５１，５２，５３に供給される。
【００２２】
メインゾーン用ＤＡＣ４８は、ＤＳＰ４７から供給されるデジタルオーディオ信号をアナログオーディオ信号に変換し、スイッチ回路５０に供給する。スイッチ回路５０は、どの出力端子に対してどの入力端子に入力されたオーディオ信号を供給するかを切り換える切換手段として機能する。スイッチ回路５０は、操作部１４の操作に基づいて、メインゾーン用ＤＡＣ４８から供給されるオーディオ信号又はインプットセレクタ５４から供給されるオーディオ信号のいずれかをメインゾーン用ボリューム部５５に供給する。メインゾーン用ボリューム調整部５５は、オーディオ信号の音量を操作部１４の操作に基づいて調整し、スイッチ回路５６又はメインゾーン用のプリアウト端子８２，８３，…９２へへ出力する。
【００２３】
ゾーンセレクタ５８は、アナログ入力端子２４〜３５，チューナ３６，３７のうちのどの入力端子から供給されるオーディオ信号をゾーンＺ２，ゾーンＺ３，ゾーンＺ４に供給するかを、記憶部１２に記憶されたゾーン設定データを参照して特定し、各スイッチ回路５１，５２，５３のそれぞれのゾーンに対応するオーディオ信号を、各スイッチ回路５１，５２，５３のそれぞれに供給する。
【００２４】
スイッチ回路５１，５２，５３は、ダウンミキシング処理が施されたオーディオ信号（サブゾーン用ＤＡＣ４９から供給されるオーディオ信号）と、それ以外の信号（ネットワーク用ＤＡＣ４２からのオーディオ信号及びゾーンセレクタ５８からのオーディオ信号）の中からいずれかを選択して出力する選択手段である。なお、この実施形態では、ダウンミキシング処理が施されたオーディオ信号以外の信号として、２種類のオーディオ信号（ネットワーク用ＤＡＣ４２からのオーディオ信号とゾーンセレクタ５８からのオーディオ信号）が入力される構成となっているが、それ以外の信号として入力されるオーディオ信号は２に限らず、これより多くても少なくてもよい。
【００２５】
スイッチ回路５１，５２，５３はそれぞれ、ゾーンＺ２，ゾーンＺ３，ゾーンＺ４のそれぞれに対応して設けられ、制御部１１によって共通に制御される。なお、この実施形態では、３つのスイッチ回路（選択手段）を備える構成となっているが、選択手段の数はこれに限らず、ゾーンに対応して設けられる構成であればよい。スイッチ回路５１は、記憶部１２に記憶されたゾーン２に対応するゾーン設定データに応じて、サブゾーン用ＤＡＣ４９、ネットワーク用ＤＡＣ４２、ゾーンセレクタ５８から供給されるオーディ信号のうちのいずれかをゾーン２用ボリューム調整部５９へ供給する。スイッチ回路５２，５３も、スイッチ回路５１と同様に、記憶部１２に記憶されたゾーン設定データに応じて、サブゾーン用ＤＡＣ４９、ネットワーク用ＤＡＣ４２、ゾーンセレクタ５８から供給されるオーディオ信号のうちのいずかをゾーン３用ボリューム調整部６０，ゾーン４用ボリューム調整部６１へそれぞれ供給する。
【００２６】
ゾーン２用ボリューム調整部５９は、スイッチ回路５１から供給されるオーディオ信号のボリュームを調整し、ゾーンセレクタ６２又はプリアウト端子９３，９４，９５に出力する。ゾーン３用ボリューム調整部６０，ゾーン４用ボリューム調整部６１も、ゾーン２用ボリューム調整部５９と同様に、スイッチ回路５２，スイッチ回路５３のそれぞれから供給されるオーディオ信号の音量を調整し、ゾーンセレクタ６２又はプリアウト端子９３，９４，９５に出力する。ゾーンセレクタ６２は、記憶部１２に記憶されたゾーン設定データを参照して、ゾーン２用ボリューム調整部５９、ゾーン３用ボリューム調整部６０、ゾーン４用ボリューム調整部６１のそれぞれから供給されるオーディオ信号を、パワーアンプ６３１〜６４１のうちの各ゾーンに対応するパワーアンプへ出力する。パワーアンプ６３１〜６４１には、スピーカが接続されており、パワーアンプ６３１〜６４１から出力されるオーディオ信号は、スピーカへと供給される。スピーカはパワーアンプ６３１〜６４１から供給されるオーディオ信号に応じた強度で放音する。
【００２７】
＜Ｂ：動作＞
次に、この実施形態の動作について説明する。以下の説明では、（１）メインゾーンＺ１でＡＶレシーバ１を１１．２ｃｈで利用する場合、すなわち、１１個のメインアンプを全てメインゾーンＺ１で利用する場合と、（２）メインゾーンＺ１で５．１ｃｈで利用し、ゾーンＺ２、ゾーンＺ３、ゾーンＺ４の３つの部屋でそれぞれ２ｃｈステレオで個別に利用する場合、すなわち、メインゾーンＺ１で５個のメインアンプを利用し、ゾーンＺ２〜Ｚ４でそれぞれ２個のメインアンプを利用する場合（利用するメインアンプはこの場合も全部で１１個）について説明する。また、特に（２）の場合にあっては、（３）メインゾーンＺ１、ゾーンＺ２、ゾーンＺ３、ゾーンＺ４の４つのゾーンで同じ入力ソースを流す場合、の３つの場合におけるそれぞれの動作例について説明する。
【００２８】
＜Ｂ−１：メインゾーン１１．２ｃｈ利用動作＞
まず、メインゾーンＺ１でＡＶレシーバ１を１１．２ｃｈで利用する場合の動作の一例について、図２を参照しつつ説明する。まず、ＡＶレシーバ１の利用者は、操作部１４を用いて、オーディオ信号を再生するための操作を行う。操作部１４は、操作された内容に応じた操作信号を制御部１１へ出力し、制御部１１は、操作部１４から供給される信号に基づいて、各種の入力端子に入力されるオーディオ信号を、メインゾーンＺ１に設置された各スピーカへ出力する。なお、２つのサブウーファーＳＷには、端子からプリアンプ部の出力信号が直接供給され、サブウーファーのエンクロージャー内に設けられた内蔵アンプによって増幅される。これにより、メインゾーンＺ１では、１１．２ｃｈのサラウンドが実現される。
【００２９】
ここで、この動作の一例として、デジタル入力端子２３に接続された他の機器から供給されるオーディオ信号を再生する場合の動作を説明する。この場合は、記憶部１２のゾーン設定データは、「メインゾーン」と「ＨＤＭＩ」とが対応付けられて記憶されている。デジタル入力端子２３に入力されたデジタルオーディオ信号は、ＨＤＭＩリピータ４４を経由してスイッチ回路４３へ供給される。スイッチ回路４３では、記憶部１２に記憶されたゾーン設定データに基づいて、ＤＳＰ４７へ供給するオーディオ信号を切り換える。この動作例では、デジタル入力端子２３とメインゾーンとが対応付けられているから、スイッチ回路４３は、デジタル入力端子２３から供給されるオーディオ信号をＤＳＰ４７へ供給する。ＤＳＰ４７は、記憶部１２に記憶されたゾーン設定データに含まれる、メインゾーンＺ１に対応する音響設定に従って、音場付加、エフェクト効果付与等の各種の音響処理を施し、音響処理を施したデジタルオーディオ信号をメインゾーン用ＤＡＣ４８へ供給する。
【００３０】
メインゾーン用ＤＡＣ４８は、ＤＳＰ４７から供給されるデジタルオーディオ信号をアナログオーディオ信号に変換し、変換したアナログオーディオ信号をスイッチ回路５０へ供給する。スイッチ回路５０は、記憶部１２に記憶されているゾーン設定データに基づいて、メインゾーン用ボリューム調整部５５に供給するオーディオ信号を切り換える。この動作例においては、メインゾーンＺ１とデジタル入力端子２３とが対応付けられたゾーン設定データがゾーン設定データ記憶領域１２１に記憶されているから、スイッチ回路５０は、デジタル入力端子２３に入力されたオーディオ信号、すなわちメインゾーン用ＤＡＣ４８から供給されるオーディオ信号を、メインゾーン用ボリューム調整部５５に供給する。
【００３１】
メインゾーン用ボリューム調整部５５は、スイッチ回路５０から供給されるオーディオ信号の音量を調整し、スイッチ回路５６へ供給する。スイッチ回路５６は、記憶部１２に記憶されたゾーン設定データに基づいて、メインゾーンに対応するパワーアンプへオーディオ信号を出力する。この動作例では、１１種類のオーディオ信号が、それぞれパワーアンプ６３１，６３２，…６４１へ供給される。パワーアンプ６３１，６３２，…６４１はそれぞれ、スイッチ回路５６から供給されるオーディオ信号を増幅し、増幅したオーディオ信号を各パワーアンプが接続されたスピーカへ出力する。このようにして、メインゾーンＺ１に設置された各スピーカからは、各スピーカに供給されるオーディオ信号に応じた強度で放音される。
【００３２】
＜Ｂ−２：ゾーン別個別再生動作＞
次に、ゾーン毎に個別のソースを再生する場合の動作の一例について、図３を参照しつつ以下に説明する。まず、ＡＶレシーバ１の利用者は、操作部１４を用いて、各ゾーンと出力端子との対応関係を設定するための操作を行う。図４に示す例においては、利用者は、出力端子８２，８３をゾーンＺ２に割り当てるとともに、出力端子７１，７２をゾーンＺ３に割り当て、出力端子８０，８１をゾーンＺ４に割り当てるための操作を行う。操作部１４は、操作された内容に応じた操作信号を制御部１１へ出力し、制御部１１は、操作部１４から供給される信号に応じて、ゾーン設定データを記憶部１２のゾーン設定データ記憶領域１２１記憶する。また、利用者は、操作部１４を操作して、各ゾーンと入力ソースとの対応関係を設定するための操作を行う。操作部１４は操作された内容に応じた操作信号を制御部１１へ出力し、制御部１１は、操作部１４から供給される信号に基づいてゾーンと入力ソースとの対応関係を示すゾーン設定データをゾーン設定データ記憶領域１２１に記憶する。
【００３３】
次に、ＡＶレシーバ１の利用者は、操作部１４を用いて、オーディオ信号を再生するための操作を行う。操作部１４は操作内容に応じて操作信号を出力し、制御部１１は、操作部１４から供給される信号に基づいて、各種の入力端子に入力されるオーディオ信号を、メインゾーンＺ１，ゾーンＺ２，サブゾーンＺ３，サブゾーンＺ４のそれぞれに設置された各スピーカへ出力する。各スピーカは、供給されるオーディオ信号に応じた強度で放音し、これにより、各ゾーンでは、それぞれ個別の入力ソースに応じた放音が行われる。具体的には、例えば、メインゾーンＺ１ではＤＶＤの入力ソースが放音され、ゾーンＺ２ではＣＤ入力のソースが放音され、部屋ＡではＭＤの入力ソースが放音され、といったように、各ゾーンに対応付けられた入力ソースが、各ゾーンのそれぞれで個別に放音される。
【００３４】
＜Ｂ−３：パーティモード動作＞
次に、メインゾーンＺ１，ゾーンＺ２，ゾーンＺ３，ゾーンＺ４の４つのゾーンで同じ入力ソースを再生する場合（以下「パーティモード」という）の動作の一例について説明する。上述のようにゾーン毎に個別の入力ソースを再生するＡＶレシーバ１において、複数のゾーンで同じソースを再生したい場合がある。具体的には、例えば、複数の部屋を用いてホームパーティを行う場合等において、複数の部屋で同じＢＧＭを流したり、同じタイミングである楽曲を流したりといったことが容易にできれば好適である。この動作例においては、ゾーン毎で個別の入力ソースを再生するＡＶレシーバ１において、複数のゾーンで同じソースを再生する場合の動作例について説明する。
【００３５】
まず、ＡＶレシーバ１の利用者は、操作部１４を用いて、パーティモードを選択するための操作を行う。操作部１４は操作された内容に応じた操作信号を制御部１１へ出力し、制御部１１は、操作部１４から供給される信号に応じて、ＤＳＰ４７やスイッチ回路５１，５２，５３等の制御を行う。
【００３６】
パーティモードが選択されている場合には、ＤＳＰ４７は、制御部１１の制御の下、スイッチ回路４３から供給されるオーディオ信号をメインゾーン用ＤＡＣ４８に供給するとともに、スイッチ回路４３から供給されるオーディオ信号（すなわちメインゾーン用のオーディオ信号）を、そのチャネル数が各ゾーンに割り当てられた出力端子の数と一致するようにダウンミキシング処理を行い、ダウンミキシング処理を施したオーディオ信号をスイッチ回路５１，５２，５３のそれぞれに供給する。また、制御部１１は、パーティモードが選択された旨を示す信号が供給されると、スイッチ回路５１，５２，５３に、サブゾーン用ＤＡＣ４９から供給されるオーディオ信号（すなわちダウンミックス処理が施されたオーディオ信号）を選択させる。スイッチ回路５１，５２，５３は、制御部１１の制御の下、サブゾーン用ＤＡＣ４９から供給されるオーディオ信号を選択し、ボリューム調整部５９，６０，６１のそれぞれに供給する。すなわち、パーティモードが選択されている場合には、スイッチ回路５１，５２，５３の各々は、ゾーンセレクタ５８やネットワーク用ＤＡＣ４２等の他の回路からオーディオ信号が供給されている場合であっても、メインゾーン用のオーディオ信号、すなわちサブゾーン用ＤＡＣ４９から供給されるオーディオ信号を選択して、ゾーン２用ボリューム調整部５９，ゾーン３用ボリューム調整部６０，ゾーン４用ボリューム調整部６１のそれぞれに供給する。
【００３７】
そのときに、例えばゾーンＺ３がＯＦＦ（出力なし）の状態であれば、制御部１１はゾーンＺ３への出力をＯＮにする。また、パーティモードが終了した場合には、制御部１１はゾーンＺ３への出力をＯＦＦにする。このように、制御部１１は、ゾーン設定データ記憶領域１２１に記憶されたゾーン設定データの「ゾーンＯＮ／ＯＦＦ状態」の項目を参照して、出力すべき出力信号があるか否かをゾーン毎に判定し、各ゾーンへの出力のオンオフ制御を行う。各ゾーンへの出力のオンオフ制御としては、具体的には、例えば、スイッチ回路５１，５２，５３が信号の出力のオンオフを制御するようにしてもよく、また、例えば、ゾーン２用ボリューム調整部５９，ゾーン３用ボリューム調整部６０，ゾーン４用ボリューム調整部６１のそれぞれに、出力あり／なしを切り換えるスイッチ手段を設けて、ゾーンセレクタ６２又はプリアウト出力端子９３，９４，９５への信号の出力のオンオフを制御するようにしてもよい。また、例えば、ゾーン２用ボリューム調整部５９，ゾーン３用ボリューム調整部６０，ゾーン４用ボリューム調整部６１のそれぞれが、出力をオフにする場合にはボリュームをゼロにするようにしてもよい。また、例えば、ゾーンセレクタ６２が、各ゾーンに対応するパワーアンプへの信号の出力のオンオフを制御するようにしてもよい。また、例えば、各ゾーンに対応するパワーアンプに供給する電源のオンオフ制御を行うようにしてもよい。要するに、信号の出力のオンオフ制御をゾーン毎に行うものであればよい。
【００３８】
ゾーン２用ボリューム調整部５９，ゾーン３用ボリューム調整部６０，ゾーン４用ボリューム調整部６１はそれぞれ、供給されるオーディオ信号のボリュームを調整し、ボリュームを調整したオーディオ信号をゾーンセレクタ６２に供給する。各オーディオ信号はゾーンセレクタ６２を経由してスイッチ回路５６へ供給され、スイッチ回路５６は、ゾーン設定データに基づいて、各オーディオ信号を各ゾーンに対応するパワーアンプに出力する。これにより、ゾーンＺ２，ゾーンＺ３，ゾーンＺ４のそれぞれでは、メインゾーンＺ１と同じソースの音が放音される。
【００３９】
ところで、メインゾーンに設置されたスピーカに供給するオーディオ信号をそのままサブゾーンに設置されたスピーカに供給しようとすると、メインゾーンのスピーカ数よりもサブゾーンのスピーカ数が少ない場合には、チャネルが欠損し、放音される楽音や音声が不自然になる虞がある。これに対しこの実施形態では、メインゾーン用のオーディオ信号が、ＤＳＰ４７によって各ゾーンに割り当てられた出力端子の数だけダウンミキシングされるから、これにより、チャネルが欠損して放音が不自然になるのを防ぐことができる。
【００４０】
また、この実施形態では、メインゾーン用のＤＳＰで他のゾーンへのオーディオ信号のダウンミックス処理を行うので、メインゾーン用のＤＳＰを他のゾーンの処理についても併用することができ、より簡易な構成でパーティモードを実現することができる。また、ダウンミックスの前又は後で、さらにサブゾーン用に音場処理やイコライザなどを追加でかけるようにしてもよい。
【００４１】
このようにこの実施形態によれば、複数のゾーンに個別のソースを提供することができるとともに、簡単な操作で、それら複数のゾーンに同じソースを出力することができる。
【００４２】
＜Ｃ：変形例＞
以上、本発明の実施形態について説明したが、本発明は上述した実施形態に限定されることなく、他の様々な形態で実施可能である。以下にその一例を示す。なお、以下の各態様を適宜に組み合わせてもよい。
（１）上述の実施形態では、ＡＶレシーバ１は、パワーアンプ６３１，６３２，…６４１と、プリアウト端子８２，８３，…９５との両方を備える構成であったが、これに限らず、プリアウト端子のみを備える構成であってもよく、また、パワーアンプのみを備える構成であってもよい。
【００４３】
（２）上述の実施形態では、パーティモードが選択された場合に、ゾーンＺ２，ゾーンＺ３，ゾーンＺ４の全てのゾーンでメインゾーンと同じソースを採用する構成とした。これに代えて、パーティモードにおいてメインゾーンと同じソースを採用するか否かをゾーン毎に設定するようにしてもよい。この場合は、どのゾーンをパーティモードに帰属させるかを、利用者が操作部１４を用いて設定し、制御部１１は、操作部１４からの信号に基づいて、どのゾーンをパーティモードに帰属させるかを示す設定データを記憶部１２に所定の記憶領域に記憶させておく。この場合は、パーティモードが選択されると、ＡＶレシーバ１は、記憶部１２に記憶された設定データに基づいて、パーティモードに帰属するゾーンに対応する出力端子に対しては、メインゾーンと同一ソースのダウンミキシングされたオーディオ信号を出力する一方、それ以外のゾーンに対しては、パーティモード中であってもそれぞれ個別のソースを再生する。これにより、例えば、ゾーンＺ３とゾーンＺ４とをパーティモードに帰属される設定がされた場合には、パーティモード中においては、ゾーンＺ３とゾーンＺ４に設置されたスピーカからはメインゾーンと同一ソースの音が放音される一方、ゾーンＺ２においてはメインゾーンと異なる個別のソースが再生される。
【００４４】
また、パーティモード中において、メインゾーンと同じ入力ソースを再生するか否かを、ゾーン毎に切り換える構成としてもよい。この場合は、各ゾーンに対応するスイッチ回路５１，５２，５３が、制御部１１の制御の下、操作部１４からの操作信号に応じて選択するオーディオ信号を切り換えるようにすればよい。
【００４５】
また、上述の実施形態において、パーティモードが選択された場合に、ＡＶレシーバ１の制御部１１が、サブゾーンに対応するパワーアンプの電源をオンにするように制御するようにしてもよい。また、これに加えて、パーティモードが選択された場合に、各ゾーンに対応するボリューム調整部が、メインゾーンのボリュームに応じて各ゾーンのボリュームを調整するようにしてもよい。また、各ゾーンに映像出力が割り当てられている場合には、メインゾーンの映像出力を各ゾーンの映像出力とするように各ゾーンの映像出力を切り換えるようにしてもよい。
【図面の簡単な説明】
【００４６】
【図１】ＡＶレシーバの全体構成の一例を示すブロック図である。
【図２】メインゾーンにおけるスピーカの配置態様の一例を示す図である。
【図３】メインゾーン及びサブゾーンにおけるスピーカの配置態様の一例を示す図である。
【図４】ゾーン設定データの内容の一例を示す図である。
【符号の説明】
【００４７】
１…ＡＶレシーバ、１１…制御部、１２…記憶部、１３…表示部、１４…操作部、２１，２２，２３…デジタル入力端子、２４，２５…アナログ入力端子、３６，３７…チューナ、３８…ネットワークオーディオ及びＵＳＢオーディオの入力端子、４０…サブゾーン用ＤＡＣ、４１…ネットワークＩ／Ｆ、４２…ネットワーク用ＤＡＣ、４３…スイッチ回路、４４…ＨＤＭＩリピータ、４５…メインゾーンセレクタ、４６…ＤＩＲ、４７…ＤＳＰ、４８…メインゾーン用ＤＡＣ、４９…サブゾーン用ＤＡＣ、５０，５１，５２，５３…スイッチ回路、５４…インプットセレクタ、５５…メインゾーン用ボリューム調整部、５６…スイッチ回路、５７…メインゾーン用ＡＤＣ、５８…ゾーンセレクタ、５９…ゾーン２用ボリューム調整部、６０…ゾーン３用ボリューム調整部、６１…ゾーン４用ボリューム調整部、６２…ゾーンセレクタ、７１，７２，…，８１…出力端子、８２，８３，…，９５…プリアウト出力端子、１２１…ゾーン設定データ記憶領域、３００…メインゾーン用スピーカ、６３１，６３２，６４１…パワーアンプ。
【図１】
0005380804.tif 000002
【図２】
0005380804.tif 000003
【図３】
0005380804.tif 000004
【図４】
0005380804.tif 000005